Podtech/llm-jp-corpus-v4-ja_patent huggingface dataset:
(57)【要約】      （修正有）【課題】植栽帯への導水機能を持つ縁石ブロックの提供。【解決手段】  植栽帯を道路表面等より低くした低湿地型植栽帯とし、導水型縁石ブロック11はブロック構造体１２に貫通穴１３を設けている。【選択図】図１
2008082144.tif 000002
【特許請求の範囲】
【請求項１】
本発明の導水型縁石ブロックは、貫通した穴を有する導水型縁石ブロックであって、低湿地型植栽帯への道路表面等を流れる雨水の流入を容易に行うことができる。貫通した穴は、雨水の流入を容易に行う為に、水平もしくは勾配を持たせてあることを特徴とする導水型縁石ブロック。
【請求項２】
貫通した穴の端部には、ゴミなどの異物浸入防止用の格子が取り付けられることを特徴とする請求項１記載の導水型縁石ブロック。
【発明の詳細な説明】
【技術分野】
【０００１】  本発明は、道路と植栽帯を区分する縁石ブロックの導水に関する。
【背景技術】
【０００２】  従来、２次コンクリート製品である縁石ブロックは、植栽帯に使用する場合、道路と植栽帯の区分を明確にし、植栽帯の土留め用として用いられる。【０００３】  縁石ブロックは、土留め用としての機能の為、植栽帯内の土の流失や道路表面等を流れる雨水の流入を遮断する機能を持つ。縁石ブロックは、積極的に植栽帯内に道路表面等を流れる雨水を通す機能を有するものではない。【０００４】  従来の植栽帯は、土盛りをして、道路表面より植栽土壌表面が高くしてある為、道路表面等より流れる雨水が流入することはない。ゼリスケ−プ（水循環を考えたランドスケープ）では、植栽帯を道路面等より低くし低湿地型とし、道路等の表面を流れる雨水を植栽帯に流入させ、水の浄化、地下浸透による地下水の涵養を目的とする方法がとられる。【０００５】  なお本発明に関する公知技術として次の非特許文献１を、挙げることが出来る。【０００６】
【非特許文献】「ゼリスケープ、低湿地の植栽」ｈｔｔｐ：／／ｗｗｗ．ｘｅｒｉｓｃａｐｅ−ｊｐ．ｏｒｇ／ｘｅｒｉｘ＿ｔｏｐ．ｈｔｍｌ
【発明の開示】
【発明が解決しようとする課題】
【０００７】  上述の従来技術としての縁石ブロックは、土留め用としての機能の為、土や道路表面等を流れる雨水を遮断する機能を持ち積極的に道路表面等を流れる雨水を通す機能を有するものではない。その為、植栽帯に水を導く機能はない。【０００８】  本発明は、低湿地型植栽帯に、道路表面等を流れる雨水を流入させる為、縁石ブロックに導水機能を持たせたものである。
【問題を解決する為の手段】
【０００９】  上述の目的を達成する本発明の導水型縁石ブロックは、貫通した穴を有する穴あき縁石ブロックであって、低湿地型植栽帯への道路表面等を流れる雨水の流入を容易に行う為に、貫通した穴は、水平もしくは勾配を持たせてある。
【発明の効果】
【００１０】  以上説明したように本発明によれば、道路などの舗装面の表面排水を、導水型縁石ブロックの貫通した穴により、低湿地型植栽帯に容易に導くことができる。低湿地型植栽帯により、水の浄化、地下浸透による地下水の涵養、植物への灌水を行い環境機能向上に役立てることができる。
【発明を実施する為の最良の形態】
【００１１】  以下、本発明の実施の形態を図面に基づき詳細に説明する。
【００１２】  図１〜図２は、本発明の第１の実施の形態に係り、図１はその外観斜視図、図２は中央部の縦断面図である。
【００１３】  図３〜図４は本発明の使用状況に係り、図３は使用状況の縦断面図、図４は低湿地型植栽帯と従来型植栽帯の縦断面図である。
【００１４】  図１、図２に示すように、本導水型縁石ブロック１１は、導水に使う貫通した穴１３を有するコンクリート製縁石ブロック構造体１２である。
【００１５】  図２に示すように、貫通した穴１３は、水平もしくは導水方向に導水を容易にする為の勾配を持っている。
【００１６】  また貫通した穴１３の端部には、ゴミなどの異物浸入防止用の格子１７が取り付けられる。
【００１７】  図３、図４に示すように低湿地型植栽帯面１５は、道路面１４より低く、集水された水は容易に低湿地型植栽帯に流入する。従来型植栽帯１６は、道路面より高く水は、流入しない。
【００１８】  さらに、実施例では、コンクリート製ブロックについて説明しているが、導水型縁石ブロックの構造体の材質はコンクリートに限られるものではなく、その他、例えば石材、木材、合成樹脂等、構造体として適当な任意の材質のものが利用でき、形状、大きさも任意に選定することが出来る。
【産業上の利用可能性】
【００１９】  本発明は、建築用の導水型縁石ブロックを製造、販売する産業分野で利用することが出来る。
【図面の簡単な説明】
【００２０】
【図１】  本発明の第１の実施の形態に係る導水型縁石ブロックの外観斜視図である。
【図２】  図１の導水型縁石ブロックの中央部の縦断面図である。
【図３】  導水型縁石ブロックの使用状況の縦断面図である。
【図４】  導水型縁石ブロック使用状況における低湿地型植栽帯の縦断面図と従来型植栽帯の縦断面図である。
【符号の説明】
【００２１】  １１  導水型縁石ブロック
１２  ブロック構造体
１３  貫通穴
１４  道路表面
１５  低湿地型植栽帯表面
１６  従来型植栽帯表面
１７  異物浸入防止用格子
【図１】
2008082144.tif 000003
【図２】
2008082144.tif 000004
【図３】
2008082144.tif 000005
【図４】
2008082144.tif 000006
(57)【要約】【課題】軸受にアキシアルモーメント荷重が負荷される軸箱支持方式であっても、実車で使用される軸受の性能を的確に評価できる鉄道車両車軸軸受の試験装置を提供することである。【解決手段】試験軸受１を収納した軸箱２に軸方向と直角に張り出す張り出し部２ａを設け、この張り出し部２ａをアキシアル荷重負荷シリンダ１５で軸方向に押圧して、試験軸受１に負荷されるアキシアル荷重にモーメントを付与することにより、軸受にアキシアルモーメント荷重が負荷される軸箱支持方式であっても、実車で使用される軸受の性能を的確に評価できるようにした。【選択図】図２
2008082720.tif 000002
【特許請求の範囲】
【請求項１】
回転駆動される鉄道車両車軸を支持する試験軸受を軸箱に収納して、ラジアル荷重とアキシアル荷重を負荷する鉄道車両車軸軸受の試験装置において、前記試験軸受に負荷されるアキシアル荷重にモーメントを付与する手段を設けたことを特徴とする鉄道車両車軸軸受の試験装置。
【請求項２】
前記アキシアル荷重にモーメントを付与する手段が、前記軸箱に軸方向と直角に張り出す張り出し部を設け、この張り出し部を介してアキシアル荷重を負荷して、モーメントを付与するものである請求項１に記載の鉄道車両車軸軸受の試験装置。
【発明の詳細な説明】
【技術分野】
【０００１】
本発明は、鉄道車両車軸軸受の試験装置に関する。
【背景技術】
【０００２】
鉄道車両車軸軸受の試験装置には、回転駆動される鉄道車両車軸を支持する試験軸受を軸箱に収納して、ラジアル荷重とアキシアル荷重を負荷するようにしたものがある（例えば、特許文献１参照）。
【０００３】
鉄道車両車軸軸受を収納した軸箱を台車に支持する軸箱支持方式には種々のものがあるが、車軸の前後に配設された１対の軸ばねで軸箱を支持し、円筒シリンダで軸箱の上下動を案内する円筒案内式（シュリーレン式）と、車軸の直上に配設された軸ばねと、ゴムブッシュを介して台車に片持ち支持された軸はりとで軸箱を上下動可能に支持した軸はり式のものが多く採用されている。いずれの軸箱支持方式でも軸受にはラジアル荷重とアキシアル荷重が負荷されるが、軸箱に作用するスラスト力に起因するアキシアル荷重は、軸箱が車軸の前後で対称な構造で指示された円筒案内式等のものでは、モーメントのない純粋なアキシアル荷重となるのに対して、軸箱が車軸の前後で非対称な構造で指示された軸はり式等のものでは、モーメントが付与されたアキシアルモーメント荷重となる。
【０００４】
【特許文献１】特開２００４−２１９１６０号公報
【発明の開示】
【発明が解決しようとする課題】
【０００５】
特許文献１に記載された鉄道車両車軸軸受の試験装置は、試験軸受に純粋なアキシアル荷重を負荷するようにしているので、軸はり式等の軸箱支持方式のように、軸受にアキシアルモーメント荷重が負荷されるものに対しては、試験条件が実車での使用条件とかけ離れたものとなり、実車で使用される軸受の性能を的確に評価できない問題がある。
【０００６】
そこで、本発明の課題は、軸受にアキシアルモーメント荷重が負荷される軸箱支持方式であっても、実車で使用される軸受の性能を的確に評価できる鉄道車両車軸軸受の試験装置を提供することである。
【課題を解決するための手段】
【０００７】
上記の課題を解決するために、本発明は、回転駆動される鉄道車両車軸を支持する試験軸受を軸箱に収納して、ラジアル荷重とアキシアル荷重を負荷する鉄道車両車軸軸受の試験装置において、前記試験軸受に負荷されるアキシアル荷重にモーメントを付与する手段を設けた構成を採用した。
【０００８】
すなわち、軸箱に収納された試験軸受に負荷されるアキシアル荷重にモーメントを付与する手段を設けることにより、軸受にアキシアルモーメント荷重が負荷される軸箱支持方式であっても、実車で使用される軸受の性能を的確に評価できるようにした。
【０００９】
前記アキシアル荷重にモーメントを付与する手段としては、前記軸箱に軸方向と直角に張り出す張り出し部を設け、この張り出し部を介してアキシアル荷重を負荷して、モーメントを付与する方法を採用することができる。
【発明の効果】
【００１０】
本発明の鉄道車両車軸軸受の試験装置は、軸箱に収納された試験軸受に負荷されるアキシアル荷重にモーメントを付与する手段を設けたので、軸受にアキシアルモーメント荷重が負荷される軸箱支持方式であっても、実車で使用される軸受の性能を的確に評価することができる。
【発明を実施するための最良の形態】
【００１１】
以下、図面に基づき、本発明の実施形態を説明する。この鉄道車両車軸軸受の試験装置は、図１および図２に示すように、試験軸受１が収納された軸箱２を装着された車軸３が基台１１上に支持軸受１２で支持され、プーリ１３を介してモータ（図示省略）で回転駆動されるようになっており、基台１１に取り付けられた主フレーム１１ａの天井部に、ラジアル荷重を負荷するラジアル荷重負荷シリンダ１４が取り付けられ、主フレーム１１ａの側壁に取り付けられた副フレーム１１ｂに、アキシアル荷重を負荷するアキシアル荷重負荷シリンダ１５が取り付けられている。この実施形態では、試験軸受１は一対の円錐ころ軸受とされている。
【００１２】
前記ラジアル荷重負荷シリンダ１４は、球面受け部材１６を介して軸箱２を上方から押圧し、試験軸受１にラジアル荷重を負荷するようになっている。
【００１３】
また、前記アキシアル荷重負荷シリンダ１５は、軸箱２に設けられた軸方向と直角に張り出す張り出し部２ａを軸方向に押圧し、試験軸受１にモーメントが付与されたアキシアルモーメント荷重を負荷するようになっており、軸はり式等のアキシアルモーメント荷重が負荷される軸箱支持方式のものを的確にシミュレートすることができる。
【００１４】
なお、図示は省略するが、円筒案内式等の純粋なアキシアル荷重が負荷される軸箱支持方式のものをシミュレートする場合は、主フレーム１１ａへの副フレーム１１ｂの取り付け位置を変更して、アキシアル荷重負荷シリンダ１５の軸心を車軸３の軸心と合致させ、別途の押圧部材を介して軸箱２の外周部を押圧することができる。
【００１５】
上述した実施形態では、車軸がプーリを介して回転駆動されるものとしたが、車軸はモータで直接、または歯車等を介して回転駆動してもよい。また、試験軸受を円錐ころ軸受としたが、試験軸受は、アンギュラ玉軸受等の他の転がり軸受であってもよい。
【図面の簡単な説明】
【００１６】
【図１】鉄道車両用軸受の評価試験装置の実施形態を示す切欠き縦断面図
【図２】図１のII−II線に沿った断面図
【符号の説明】
【００１７】
１  試験軸受
２  軸箱
２ａ  張り出し部
３  車軸
１１  基台
１１ａ、１１ｂ  フレーム
１２  支持軸受
１３  プーリ
１４  ラジアル荷重負荷シリンダ
１５  アキシアル荷重負荷シリンダ
１６  球面受け部材
【図１】
2008082720.tif 000003
【図２】
2008082720.tif 000004
(57)【要約】【課題】潤滑性を向上できる円すいころ軸受用保持器を提供する。【解決手段】円すいころ軸受用保持器１は、小径側環状部７と、大径側環状部８と、小径側環状部７と大径側環状部８とをつないでポケット６を形成する柱部１０とを有する。小径側環状部７には潤滑剤保持部である環状凹部１１が形成されている。環状凹部１１は小径側環状部７の軸方向の端面７Ａに形成されている。環状凹部１１から柱部１０の中を通ってポケット６に開口する潤滑剤供給通路１２を有する。環状凹部１１に保持された潤滑剤は、回転時の遠心力によって潤滑剤供給通路１２を小径側から大径側に移動して柱部１０の開口１３からポケット６に供給される。【選択図】図１
2008082470.tif 000002
【特許請求の範囲】
【請求項１】
小径側環状部と、
大径側環状部と、
上記小径側環状部と大径側環状部とをつないでポケットを形成する柱部と、
上記小径側環状部に形成された潤滑剤保持部と、
上記潤滑剤保持部から上記柱部の中を通って上記ポケットに開口する潤滑剤供給通路とを備えることを特徴とする円すいころ軸受用保持器。
【請求項２】
請求項１に記載の円すいころ軸受用保持器において、
上記潤滑剤保持部は、
上記小径側環状部の軸方向の端面に形成された環状凹部であることを特徴とする円すいころ軸受用保持器。
【発明の詳細な説明】
【技術分野】
【０００１】
この発明は、円すいころ軸受用保持器に関する。
【背景技術】
【０００２】
従来、例えば、新幹線車両の主軸等の鉄道車両の主軸の軸受として用いられる鉄道用円すいころ軸受では、主軸,外輪が高速で回転するので、回転に伴う遠心力で、グリース等の潤滑剤が飛散し、潤滑不足の状態となることがあり、潤滑条件が厳しくなっていた。例えば、最高速度が３００〜４００ｋｍ/ｈに達する新幹線で使用される鉄道用円すいころ軸受では、主軸の回転数が２７００ｒｐｍに達するので、特に、潤滑条件が厳しくなっていた。
【特許文献１】特開２００４−１０８５４４号公報
【発明の開示】
【発明が解決しようとする課題】
【０００３】
そこで、この発明の課題は、潤滑性を向上できる円すいころ軸受用保持器を提供することにある。
【課題を解決するための手段】
【０００４】
上記課題を解決するため、この発明の円すいころ軸受用保持器は、小径側環状部と、大径側環状部と、上記小径側環状部と大径側環状部とをつないでポケットを形成する柱部と、上記小径側環状部に形成された潤滑剤保持部と、
上記潤滑剤保持部から上記柱部の中を通って上記ポケットに開口する潤滑剤供給通路とを備えることを特徴としている。
【０００５】
この発明の円すいころ軸受用保持器によれば、保持器が回転すると、潤滑剤保持部に保持された潤滑剤は、遠心力によるポンプ作用でもって、潤滑剤供給通路を通って柱部の開口からポケットに供給される。これにより、円すいころと保持器の柱部との間の潤滑性を向上できる。
【０００６】
また、一実施形態の円すいころ軸受用保持器では、上記潤滑剤保持部は、上記小径側環状部の軸方向の端面に形成された環状凹部である。
【０００７】
この実施形態によれば、潤滑剤保持部としての環状凹部を、潤滑剤供給通路の延長線上の軸方向の端面に形成でき、潤滑剤保持部を容易に形成できる。
【発明の効果】
【０００８】
この発明の円すいころ軸受用保持器によれば、潤滑剤保持部に潤滑剤を保持し、保持器が回転すると、遠心力によるポンプ作用でもって、潤滑剤が潤滑剤供給通路を通って柱部の開口からポケットに供給されるので、円すいころと保持器の柱部との間の潤滑性を向上できる。
【発明を実施するための最良の形態】
【０００９】
以下、この発明を図示の実施の形態により詳細に説明する。
【００１０】
図１に、この発明の実施形態である円すいころ軸受用保持器１を備えた円すいころ軸受を示す。この円すいころ軸受は、内輪２と外輪３、および、この内輪２と外輪３との間に周方向に配列された複数の円すいころ５を有する。この複数の円すいころ５は、円すいころ軸受用保持器１のポケット６に保持されている。このポケット６は、保持器１の周方向に複数個形成されている。
【００１１】
円すいころ軸受用保持器１は、小径側環状部７と、大径側環状部８と、上記小径側環状部７と大径側環状部８とをつないでポケット６を形成する柱部１０とを有する。この小径側環状部７には、潤滑剤保持部としての環状凹部１１が形成されている。この環状凹部１１は、小径側環状部７の軸方向の端面７Ａに形成されている。また、この円すいころ軸受用保持器１は、環状凹部１１から柱部１０の中を通って上記ポケット６に開口する潤滑剤供給通路１２を有する。
【００１２】
この実施形態では、円すいころ軸受用保持器１は樹脂製である。この樹脂としては、一例として、６６ナイロン、４６ナイロン、ＰＥＥＫ(ポリエーテルエーテルケトン)などの各種エンジニアリングプラスチックを採用できるが、自己潤滑性がある樹脂が望ましい。
【００１３】
上記円すいころ軸受けの内輪２と外輪３とが相対回転すると、円すいころ軸受用保持器１は連れ回りによって回転して、潤滑剤保持部である環状凹部１１に保持された潤滑剤(一例としてグリース等)は、遠心力によるポンプ作用でもって、潤滑剤供給通路１２の中を小径側から大径側へ移動する。これにより、潤滑剤は、潤滑剤供給通路１２を通って柱部１０の柱面１０Ａの開口１３からポケット６に供給される。これにより、円すいころ５と保持器１の柱部１０との間の潤滑性を向上できる。
【００１４】
また、この実施形態では、潤滑剤保持部を、小径側端部７の軸方向の端面７Ａに形成した環状凹部１１としたので、潤滑剤供給通路１２の延長線上の軸方向の端面７Ａに潤滑剤保持部を形成でき、潤滑剤保持部を容易に形成できる。
【００１５】
尚、上記実施形態では、潤滑剤供給通路１２が柱部１０の柱面１０Ａの１箇所の開口１３でポケット６に開口したが、柱部１０の柱面１０Ａの複数の開口からポケット６に開口してもよい。この複数の開口は、潤滑剤供給通路１２が延在する方向に配列してもよい。また、上記実施形態では、潤滑剤供給通路１２を各柱部１０に形成したが、周方向の１つおきの柱部１０に潤滑剤供給通路１２を形成してもよい。また、上記実施形態では、潤滑剤保持部を周方向に連続した環状凹部１１としたが、小径側環状部７の各柱部１０に対応する周方向の複数の箇所に形成した凹部としてもよい。また、上記実施形態では、保持器の材質を樹脂としたが、鉄等の金属製としてもよい。
【図面の簡単な説明】
【００１６】
【図１】この発明の実施形態の円すいころ軸受用保持器を備えた円すいころ軸受を示す断面図である。
【符号の説明】
【００１７】
１  円すいころ軸受用保持器
２  内輪
３  外輪
５  円すいころ
６  ポケット
７  小径側環状部
７Ａ  端面
８  大径側環状部
１０  柱部
１０Ａ  開口
１１  環状凹部
【図１】
2008082470.tif 000003
(57)【要約】【課題】間欠割出装置と、その駆動に同期したカム機構により、割出装置の停留時間中に作業を行う間欠駆動方式においては、停留時間を確保しながらサイクルタイムを短縮することは困難であった。本発明は、この問題を解決する為に好適な間欠送り機構を提供する。【解決手段】間欠割出装置とカム機構の駆動源を分離し、割出時間を最短としながら、停留時間はカム機構のサイクルタイムにより決める。【選択図】  図１
2008082367.tif 000002
【特許請求の範囲】
【請求項１】
間欠割出装置と、その駆動に同期したカム機構により、割出装置の停留時間中に作業を行う間欠駆動方式の機械装置に於いて、間欠割出装置とカム機構の駆動源を分離したことを特徴とする間欠送り機構。
【請求項２】
請求項１の間欠送り機構に於いて、間欠割出装置の駆動モ−タを停留時間中に一時停止することを特徴とする間欠送り機構。
【発明の詳細な説明】
【技術分野】
【０００１】
本発明は、間欠駆動方式の機械装置に関する。
【背景技術】
【０００２】
間欠割出装置と、その駆動に同期したカム機構により、割出装置の停留時間中に作業を行う間欠駆動方式の機械装置は、連続生産向けの加工機械として広く普及している。
【０００３】
このような従来装置に於いては、特開２００２−３７２１２１号公報の発明のように、入力主軸（送りカム取付）と副軸（各種駆動カム取付）は、同期回転させることが常識となっていた。
【特許文献１】特開２００２−３７２１２１号公報
【発明の開示】
【発明が解決しようとする課題】
【０００４】
これらの連続生産向けの加工機械は、加工効率向上の為、サイクルタイム短縮の要求が強い。サイクルタイムの短縮は、加工作業を行う停留時間を最大限長く取り、割出時間を最短とすることが理想である。
【０００５】
ところが、間欠割出装置単独では、送りカム及びそのカムフォロアの機械的強度の制限から、割出時間のみの短縮には限界がある。高速になればなるほど、この影響が顕著となりサイクルタイム短縮を阻害していた。
【課題を解決するための手段】
【０００６】
サイクルタイムに占める割出時間を大きくとれば、間欠割出装置単独での高速化は可能である。そこで、間欠割出装置とカム機構の駆動源を分離し、割出駆動後に間欠割出装置の駆動を一時停止することにより、任意の停留時間を取ることが出来る。
【発明の効果】
【０００７】
本発明の間欠送り機構により、割出時間と停留時間をそれぞれ独立して必要最短時間とすることが出来、サイクルタイムの短縮が可能となる。
【発明を実施するための最良の形態】
【０００８】
以下、図示の一実施例を参照しながら本発明をさらに説明する。
【０００９】
図１は、本発明による間欠送り機構を備えた機械装置の概略図である。同図に於いて、被加工物１を搬送する割出装置２は、高速割出を可能とする為、出来る限り大きな送り割付角度を持った物を選定し、その駆動は送りモ−タ３により行われる。
【００１０】
送りモ−タ３は、割出時間を最短とする為、ワ−クに加わる慣性力の影響と割出装置の機械的強度を考慮した最大速度で回転し、割出駆動を終えると一時停止する。
【００１１】
一方、加工装置４はカム５により駆動され、そのカム軸６は連続回転するカム軸駆動モ−タ７により駆動される。また、このカム軸６には角度検出装置を設け、所定の角度で送りモ−タ３に回転指令を出力する。これにより、２台のモ−タの同期運転が行われる。
【００１２】
本発明の装置により、割出時間と停留時間は別々に決めることが出来、結果としてサイクルタイムを最短時間にすることが可能となる。
【図面の簡単な説明】
【００１３】
【図１】本発明による間欠送り機構の概略図。
【符号の説明】
【００１４】
１  被加工物
２  間欠割出装置
３  送りモ−タ
４  加工装置
５  加工装置駆動カム
６  カム軸
７  カム軸駆動モ−タ
【図１】
2008082367.tif 000003
(57)【要約】【課題】配達先へ配達物を配達するに際して、投函後、受け取り主に関する個人情報が外部へ流出することを防止する。【解決手段】配達物に貼り付けられる配達伝票又は宛名ラベルに、弱粘性シールを使用する。配達員は、配達時は配達伝票又は宛名ラベルを読み取って配達を行う。投函時に、受け取り主の個人情報の記載されている配達伝票又は宛名ラベルを、配達物より剥がし取り、回収する。投函後の配達物には、受け取り主の個人情報の記載された配達伝票又は宛名ラベルは、剥がし取られているため、外部からの視認はできないため、個人情報の流出を防止できる。【選択図】図１
2008279742.tif 000002
【特許請求の範囲】
【請求項１】
配達先へ配達される配達物に貼り付けられる、配達伝票又は宛名ラベルであり、受け取り主の個人情報の記載された配達伝票又は宛名ラベルは、弱粘性シールを使って作成することを特徴とする配達伝票。
【請求項２】
受け取り主の個人情報の記載された配達伝票又は宛名ラベルは、配達物の投函時に、配達物から剥がし取り、回収することを特徴とする配達方法。
【請求項３】
配達伝票又は宛名ラベルを弱粘性シールで作成した、投函時に、受け取り主の個人情報の記載された配達伝票又は宛名ラベルを、配達物から剥がし取りやすく、容易に回収することのできる配達伝票又は宛名ラベルを使用し、投函時に、配達物から受け取り主の個人情報の記載された配達伝票又は宛名ラベルを剥がし取り、回収する配達を行う、個人情報の保護を特徴とする配達方法。
【請求項４】
弱粘性シールで作られた配達伝票又は宛名ラベルを使って配達することを特徴とする配達方法。
【発明の詳細な説明】
【技術分野】
【０００１】  この発明は、配達物の投函後における、個人情報の漏洩防止に関する。
【背景技術】
【０００２】  従来は、配達物を配達する場合、配達に必要な情報を配達伝票又は宛名ラベル上に記載し、貼付等の手段で当該配達物上に表示されたまま、配達先へ投函されている。配達先へ投函された配達物には、受け取り主の個人情報が記載されている。
【発明の開示】
【発明が解決しようとする課題】
【０００３】  しかしながら以上の技術によれば、投函後、受け取り主の個人情報が配達物に貼られている配達伝票又は宛名ラベルより、外部から視認され漏洩し、悪用される危険性があり、個人情報保護の点では問題である。【０００４】  そこで、この発明は、受け取り主の個人情報を、投函後外部から視認されないための配達方法と、その配達方法を完成させるための配達伝票を提供することを課題とする。
【課題を解決するための手段】
【０００５】  以上の課題を解決するために、第一発明は、配達先へ配達される配達物に貼り付けられる配達伝票又は宛名ラベルであり、受け取り主の個人情報の記載される配達伝票又は宛名ラベルは、弱粘性シールを使って作成することを特徴とする配達伝票である。【０００６】  第二発明は、受け取り主の個人情報の記載された配達伝票又は宛名ラベルは、配達物の投函時に、配達物から剥がし取り回収することを特徴とする、配達方法である。
この配達方法によれば、投函後、外部からの個人情報の視認はできないため、個人情報の流出を防止できる。【０００７】  第三発明は、配達伝票又は宛名ラベルを弱粘性シールで作成した、投函時に、受け取り主の個人情報の記載された配達伝票又は宛名ラベルを、配達物から剥がし取りやすく、容易に回収することのできる配達伝票を使用し、投函時に、配達物から受け取り主の個人情報の記載された配達伝票又は宛名ラベルを剥がし取り、回収する配達を行う個人情報の保護を特徴とする配達方法である。
この配達伝票を使った配達方法であれば、投函時に、配達物から配達伝票又は宛名ラベルを剥がし取りやすく、容易に回収できるうえ、投函後、外部から個人情報を視認されず、情報が流出するのを防止できる。【０００８】  第四発明は、弱粘性シールで作られた配達伝票または宛名ラベルを使うことを特徴とした配達方法である。
【発明の効果】
【０００９】  本発明の各解決手段によれば、受け取り主の個人情報の記載された配達伝票又は宛名ラベルは、投函時に剥がし取り、配達員が回収するため、投函後、外部から個人情報を視認されず情報が流出することはない。
【発明を実施するための最良の形態】
【００１０】  この発明の一実施形態を、図１に示す。図１は、弱粘性シール１で作った配達伝票又は宛名ラベル２である。弱粘性シール１で作った配達伝票又は宛名ラベル２は、配達物から剥がし取りやすいため、受け取り主の個人情報の記載された配達伝票又は宛名ラベル２を、投函時に素早く剥がし取り、回収することができ、効率良く配達作業ができる。【００１１】「実施形態の効果」
この実施形態によれば、配達物に貼られた配達伝票又は宛名ラベル２は、弱粘性シール１で作成しているため、投函時に、剥がし取りやすく、容易に回収することができる。それにより、投函後、外部からの個人情報の視認を防ぎ、個人情報の流出を防止できる。【００１２】  配達時には、配達伝票又は宛名ラベル２は配達物に貼り付けられているため、配達員は配達物に貼られた配達伝票又は宛名ラベル２の情報を見て、スムーズに配達することができる。【００１３】  弱粘性シール１でできた配達伝票又は宛名ラベル２は、投函時、剥がし取り回収することができるため、回収後、再度誤配がないかを確認することできる。その後、破棄することができる。【００１４】  配達物の投函時に、配達伝票又は宛名ラベル２を剥がし取り回収することにより、配達物は無記名配送になる。そのため、ダイレクトメールなど、大量の情報を大勢の受け取り主に配送したい業者にとっては、無記名配送であれば、受け取り主が、配達物は無作為に投函されたものと思い、情報を気持ちよく入手することができるため、業者はより情報を提供しやすくなる。【００１５】  弱粘性シール１で作った、配達伝票又は宛名ラベル２であるため、投函時に配達物から配達伝票又は宛名ラベル２を剥がし取る際も、配達物に剥がし後をつけずにきれいに剥がし取ることができる。そして、受け取り主へ配達物だけを配達することができる。【００１６】「他の実施形態」
図１の実施形態は、横向きの伝票形態であるが、図２の実施形態のように、縦向きの伝票形態の物でも良い。【００１７】  また、配達物のサイズや、伝票記載事項の量に合わせ、配達伝票又は宛名ラベルのサイズは、変化しても良い。
【図面の簡単な説明】
【００１８】
【図１】この発明の一実施形態を示す斜視図
【図２】この発明の一実施形態を示す斜視図
【図３】この発明の配達方法を示す図
【符号の説明】
【００１９】    １  弱粘性シール
２  受け取り主の個人情報の記載された配達伝票又は宛名ラベル
３  弱粘性シールの影
【図１】
2008279742.tif 000003
【図２】
2008279742.tif 000004
【図３】
2008279742.tif 000005
(57)【要約】【課題】  最初から車にセットされた状態で売り出されれば良いが、現状では日本中          でも、世界中でも走り続けてる。【解決手段】          現在、走行中の車にたいしては、後付け構造の物を提供出来るようにする          。【選択図】図１
2008279831.tif 000002
【特許請求の範囲】
【請求項１】
固定（単独）、固定、上下、左右、スイング等（図４）あらゆる姿勢が駆動機３と
駆動部品４の組合せにより可能なカメラ１と連動させ、景色、記録、編集可能な
記憶装置を組込み、モニタ−２を連動させた万能カメラ。
【発明の詳細な説明】
【技術分野】
【０００１】
本発明は車の運転時に自宅からの出発時、十字路、Ｔ字路等は顔を乗り出して安全を
確認してから車を出発していた運転のしずらさをカメラとモニタ−を連結する事に
より、解消したものである。なを、後ろ側も同様のことが言える。
また、固定式、カメラを格納式、回転式にすることにより、用途分けが出来る。
【背景技術】
【０００２】
従来、一般的に車を運転する時は、人間の視覚により、無理な姿勢で安全を確認して
いた。
また運転席に一人、前方、後方確認の為にあと一人、計二人必要だった。
【発明の開示】
【発明が解決しようとする課題】
【０００３】
本発明は車の運転時に十字路、Ｔ字路の左右確認は視界が悪い場合が多い。一般に車
の構造上、運転席より前に突き出てる為に運転時に左右に高い構造物、植物等がある
と確認しずらく、停止線より車の前部が出てしまう。後部も同様のことが言える。
トラック等の営業車は前側はフラットな構造になっているが、荷台側は荷物を積んで
いる為に確認しずらい。バスなども同様のことが言える。現在はバックモ二タ−付き
タイプのものはあるが、駐車時仕様に限定されてるし、タクシ−につけられてるカメ
ラは前方目的の為である。これらの運転のやりずらさを解消する為に本案を考案した。
【課題を解決するための手段】
【０００４】
lang=EN-US>本発明は、レンズ（魚眼レンズ含む）とモニタ−を組み合わせ運転席から前側の左右、
後ろ側の左右また前後の確認が容易になる。
また、モニタ−に写った車、人、動物等をモニタ−に記憶させ移動量の大きさで距離
を測れるようにすれば前左右、後ろ左右、前後の車までの距離がわかる。
また、反射音波を出す機構にしても、モニタ−と連動すれば距離が測れる。
距離、対象物があるかないか、音声に出せるようにすれば、なをいっそうわかり易く
なる。また、運転時からの状況を記憶装置に記憶できるようにすれば、前側の左右、
後ろ側の左右の状況も記憶され、どこのル−トを通ったか後で確認可能になる。  
又、用途に応じて格納式、回転式等の仕組みにする。
【発明の効果】
【０００５】
このようにすれば、一時停止の十字路やＴ字路の狭い見透視の悪い場所や後方の左右
等の状況を運転者が一人でも確認可能になる。運転者が一人でも確認不可能な状態が
解消され、ストレスの軽減になる。、
、
【図面の簡単な説明】
【０００６】
【図１】全体図
【図２】形状図
【図３】仕様図
【図４】仕様図
【符号の説明】
【０００７】
１  カメラ  
２  モニタ−
３  駆動機
４  駆動部品
【図１】
2008279831.tif 000003
【図２】
2008279831.tif 000004
【図３】
2008279831.tif 000005
【図４】
2008279831.tif 000006
(57)【要約】【課題】  フック付きのキューブを倒し、１つのハンガーで多数のベルトを収納できるベルトハンガーを提供する。【解決手段】  ハンガーに多数付いているキューブを収納するベルトの幅に合わせて好きな位置ものを倒し、フックにベルトの穴を引っ掛けるベルト用ハンガーを特徴とする。【選択図】図１
2008279236.tif 000002
【特許請求の範囲】
【請求項１】
ハンガーの底棒（１）にフック（２）がついたキューブ（３）を設け、キューブを倒しフックにベルトを引っ掛けるベルトハンガー。
【発明の詳細な説明】
【技術分野】
【０００１】  この発明は、ハンガーについているキューブを倒し、キューブについているフックをベルトの穴に引っ掛け、多数のベルトを１つのハンガーに収納できるようにしたものである。
【背景技術】
【０００２】  従来、ベルト用ハンガーはバックルの部分を使用し引っ掛けるもの、フックの位置が固定されているもの、１本のハンガーに１本のベルトしか使用できないものであった。
【発明の開示】
【発明が解決しようとする課題】
【０００３】  これは次のような欠点があった。
（イ）バックルに空洞のないベルトに対応できない
（ロ）ベルトの幅によっては、固定されている別のフックが邪魔で対応できない
（ハ）多数のベルトを収納するにはスペースをとられる
本発明は、以上のような欠点をなくすためになされたものである。
【課題を解決するための手段】
【０００４】  ハンガーの底棒（１）にＬ字フック（２）のついた左右９０℃に倒れるキューブ（３）を多数取り付ける。
本発明は、以上の構成よりなるフックつきベルトハンガーである。
【発明の効果】
【０００５】  キューブが多数あるため、ベルトの幅に合わせて好きな位置のキューブを左右に倒して使用する。使わないキューブをそのままにすることによりフックが邪魔にならないようにした。各キューブに付いているＬ字フックを上向きにすることによって、フックにベルトの穴を引っ掛けて使用することができ、バックルの形状に関係なく対応できるようにした。フックをＬ字にすることで、重みでベルトが落ちるのを防ぐと共に１本のフックに多数のベルトを収納できるようにした。
【発明を実施するための最良の形態】
【０００６】  以下、本発明を実施するための最良の形態について説明する。
ハンガーの底棒（１）に多数のキューブ（３）を通す。キューブは底棒に対して左右９０度に曲がる。各キューブの上部面にはそれぞれＬ字フック（２）がついている。このフックはキューブを左右どちらに倒してもフックが上に向くように３６０度回転する。
本発明は以上のような構造である。
これを使用するときは、好きな位置のキューブを左右どちらかに倒し、Ｌ字フックを上向きにしてフックにベルトの穴を通して使用する。
【図面の簡単な説明】
【０００７】
【図１】  本発明の斜視図である
【図２】  本発明のキューブ拡大図である
【符号の説明】
【０００８】  １  ハンガーの底棒
２  Ｌ字フック
３  キューブ
【図１】
2008279236.tif 000003
【図２】
2008279236.tif 000004
(57)【要約】【課題】本発明は、生活の携帯品としてポケットテッシュと名刺を入れる機能を一緒にしたことにより、生活の機能を上げる工夫を提供する。【手段】名刺またはカードを入れる袋（１）とポケットテッシュカバー（２）をあわせて一つのものとする。（２）に装飾デザインとして襟や袖をアレンジして、ファッション感覚を備える。【選択図】図１
2008279235.tif 000002
【特許請求の範囲】
【請求項１】
名刺が入るポケット（１）でテッシュカバーに襟と袖をアレンジ（２）してファッション性を装備（１）＋（２）で働く女性の日常品としての機能
【請求項２】
名詞を入れるポケットがポケットテッシュ入れと一緒になり携帯に便利である。
【請求項３】
テッシュカバーに襟と袖をアレンジしてデザイン性も豊かにおしゃれセンス出す
【発明の詳細な説明】
【発明の詳細な説明】
【発明に属する技術分野】
【０００１】  働く女性が常に携帯する名刺とポケットテッシュを一つの袋に合わせ持つ機能性重視
【背景技術】
【０００２】  名刺入れとポケットテッシュを別々にバックの中に入れて使用
【発明が解決しようとする課題】
【０００３】  名刺入れとポケットテッシュ入れを一つにまとめ機能性の充実
【課題を解決する手段】
【０００４】  名刺を入れるポケット（１）をテッシュカバーの裏に付ける（２）
テッシュカバー襟と袖をデザインしてファッション性を出す
この工夫により便利さアップとおしゃれセンスが表現でき持つ楽しさが出る
【発明実施の形態】
【０００５】  以下、本発明の形態を説明する
（イ）生地からなるテッシュカバーの裏側に（１）名刺ポケットを縫い付ける（２）
（ロ）（２）の上部真ん中に襟、テッシュカバーサイド上部左右に袖を縫いつける
本発明は以上の構成よりなる。
【発明の効果】
【０００６】  別々にバックに入れていたものを一つの合わせ持つ機能性が便利
【図面の簡単な説明】
【図１】  本発明の斜視図
【図２】  本発明の要部拡大の正面図
【図３】  本発明の要部拡大の裏図面
【符号の説明】
（１）袋体  （２）名刺の入るポケット  （３）襟と袖の切り替えでデザイン
【図１】
2008279235.tif 000003
【図２】
2008279235.tif 000004
【図３】
2008279235.tif 000005
(57)【要約】【課題】ゲノムや遺伝子判断・ゲノム創薬などで、病気の原因は遺伝子で説明できるが、病気の原因は遺伝的素因の可能性が高いこと、そして病気発生のしくみや個人差が遺伝子レベルで解明できなかった。【解決手段】整形外科では実施されていない様ですがホルモンの一種であるエリスロポエチンなど、遺伝子ペクターＨＧＦタンパクなど、患者に細胞再生した組織を自家移植をし、患者から適切な細胞か組織を少量採集し、細胞を培養し増やす。場合により組織の構造までつくる。体性幹細胞による組織再生、細胞から体性乾細胞を分離採集することなどです。【選択図】図１
2008279238.tif 000002
【特許請求の範囲】
【請求項１】
関節症（ヘバーデン結節症）リウマチ・膠原病数縁疾患重症者用遺伝療法による再生治療
遺伝子治療での再産医療であります。
がんと同様に関節症・リウマチ・膠原病数縁疾患は主に免疫機能の低下によるもだと思います。
整形外科の分野では実施応用化はされておりませんが、一種のホルモンであるエリスロポエチンの注射を患者に、細胞・再生した組織を自家移植して細胞培養による、組織再生、体性乾細胞による組織再生、胚性乾細胞（ＥＳ細胞）による組織再生、つまり、細胞組織あるいは、再生も働く生理活性物質や遺伝子を局所注射などで投与する事です。
要するに、関節症・リウマチ・膠原病数縁疾患者には、すり減った軟骨部分の再生も可能であると思います。
【発明の詳細な説明】
【技術分野】
【０００１】再生医療とは機能不全に陥った臓器や何らかの原因で欠損した組織の機能を再生したり、臓器・組織の再生を促す、生理活性注射をして、人体内で自力での再生を助ける治療法です。
再生医療の解釈を広げるとエリスロポエチンの注射による貧血の治療や顆粒状コロニー刺激因子による白血球減少の治療も含まれます。
【背景技術】
【０００２】１９９５年、ＡＤＡ欠損症・何種類かのがんに対して遺伝子治療が実施されております。【０００３】遺伝子治療による再生治療は整形外科分野ではまだ実施されていない様です。
広範囲熱湯で失なわれた皮膚部分を治すため、残った皮膚を培養して、シート状に増やした「再生皮膚」を用いる治療があります。【０００４】角膜潰瘍で失った角膜を治すため、口内の粘膜細胞などを培養して、増やして「再生上皮」で潰瘍部分を張り替える治療などがあります。
【特許文献１】ＤＮＡ（遺伝子）の構成は３つの塩基の配列になっている。染色体を構成するＤＮＡは２本の分子がらせん状に結合したものです。分子の構造はデオキシリボースという糖とリン酸がつながって柱状になったもので一つのらせんは直径２ｎｍ（１ｎｍは１００万分の１ｍｍ）らせんの１セットは長さは３、４ｎｍでこれがいくつもつながっています。らせんの内側は４種類の塩基（アデニン・グアニン・シトニン・チミン）が結合して、らせん階段のように整列している。この塩基にはペアとなるものが互いに決まっていて、アデニンはチミンとグアニンはシトニンと結合し他の組み合わせでは、結合することはない。そして、この４種類の塩基の並び方だけで遺伝情報を伝えている。タンパク質の合成では三つの塩基の配列が基本となり、これをコドンという。コドンによって、２０種類のアミノ酸が決定され、アミノ酸が組み合わさって、さまざまなたんぱく質を構成している。約６０兆の人体の細胞がつくられ、ひとりひとり違った姿、形となって活動している。ヒトゲノム解析により遺伝子治療が期待されている。尚ヒトゲノムとマウスの遺伝子の総数は２万３千個、ハエは１〜２万個とヒトのＤＮＡに近い。
【特許文献２】ヒトゲノム解析からわかることはヒト染色体の全遺伝情報です。ヒトゲノムプロジェクトにより、２００３年にヒト染色体の全遺伝情報、すなわち、全ＤＮＡ塩基配列情報の概要が明らかにされ、２００４年、秋に完全に解読されました。ここで明らかにされたのは全塩基の配列です。それだけでは遺伝子と塩基配列の機能はわかりません。次なるゲノムの研究の目標は明らかとなったヒトゲノムの塩基配列情報の意義付けです。その目的は、塩基配列がその機能にどのように関わり、さらに遺伝子のお互いの作用の結果として、細胞の機能や、病気発症との関係、遺伝子の発現や機能の個人差に影響する多様性を明らかとすることです。環境変化に対してゲノムはどのような反応をするのか。どのような遺伝子が発現するのか。どのタンパク質が相互に作用するのか。など遺伝子情報の意義付けについて、新しいとらえ方や解釈がネットワークや回路（全体的な相互作用）の名のもとに生まれています。
【特許文献３】
2008279238.tif 000003
【発明の開示】
【発明が解決しようとする課題】
【０００５】２１世紀の人類の進歩における重要な柱と位置付けられている。
バイオ技術、バイオ関連企業の動向、ゲノムや遺伝子診断、ゲノム創薬など、バイオテクノロジーに関する見出しが目立っている。病気の原因は遺伝子で説明されようとしている。
糖尿病・高脂症高血圧などの成人病・又は生活習慣病は家系内に多く発生している場合に同じ病気にかかる可能性が高く、原因として、病気の遺伝的素因の可能性が指摘されて来た。
心臓病・脳梗塞・感染症・悪性腫瘍（癌）とさまざまです。
今日、これらの多くの病気の原因は、多かれ少なかれ、遺伝子が関わっていると考えられている。
遺伝子解析技術の進歩により、さまざまな病気発症のしくみや個人差が遺伝子レベルで解明されるようになりました。
遺伝子検査はこれらの病気の原因遺伝子を検出することによって、病気の早期診断と適切な治療薬の選拓により、有効な治療、さらには重症化を防ぐことができるようになります。
これらの取り組みは、２００３年にヒト染色体の全遺伝配列情報（ゲノム）の解読が完了したため、加速しております。
遺伝子検査によって得られる情報には限界があり、使い方を誤ると、高額な検査費用を浪費するばかりか、有害な情報を提供してしまう危険もあります。
遺伝子検査に関する適切な知識と理解が必要です。
【課題を解決するための手段】
【０００６】マウスによる遺伝子による検査をたくさん実施し、各疾患に対しての知識を得る事が必要と思われます。
関節症（ヘバーデン結節症）、リウマチ、膠原病数縁疾患は遺伝病ですから、遺伝病として扱い、それに対しての再生治療を実施した方が良いと考えます。
【発明の効果】
【０００７】何らかの原因（免疫機能不全）で欠損したすり減った軟骨部分が再生治療によって再生されると思います。
【発明を実施するための最良の形態】
【０００８】整形外科分野のレベルを上げる事と、遺伝病対策としての遺伝子研究の充実を計る事です。
厚生省の遺伝病に対しての見直しが必要と思われます。
【実施例】
【０００９】遺伝病という認識不足の為、実施例はありません。
【産業上の利用可能性】
【００１０】ヒトゲノムプロジェクトを実施することにより、産業上にも大きな利益をもたらす事と思っております。
【図面の簡単な説明】
【００１１】
【図１】再生医療として、細胞・再生組織あるいは再生に働く生理活性物質や遺伝子の局所注射などで投与する図
【図２】遺伝子（ＤＮＡ）の構造図と３つの塩基の配列図
【符号の説明】
【００１２】Ａ  アデニン
Ｔ  チミン
Ｇ  グアニン
Ｃ  シトニン
【図１】
2008279238.tif 000004
【図２】
2008279238.tif 000005
(57)【要約】【課題】  従来のコンピューター将棋ゲームにおいては、対局者は自分の駒と相手の駒の見分けは駒の文字と形状で判断するしかなく、敵味方の判別がしづらい面があった。本発明は、これらの欠点を補い、色別の駒での対局を楽しみながら、敵味方の駒の配置が一見して判るようにしようとするものである。【解決手段】  コンピューター将棋ゲーム上に、複数の色の選択肢の中から、自分の駒の色と相手の駒の色を選んで設定できるプログラムを設けて、更に、対局中において相手の駒を取って自分の持ち駒とした場合や、自分の駒が相手に取られて相手の持ち駒になった場合は、取られた駒は自動的に取った側の駒の色に変わるようにしたプログラムを設ける。そして、これらのプログラムを、現在流通している既存のコンピューター将棋ゲームが持っている機能に追加設定する。【選択図】なし【特許請求の範囲】
【請求項１】
コンピューター将棋ゲームー上で、対局者が色別の駒で対局ができるように、複数の色の選択肢の中から、自分の駒の色と相手の駒の色を選んで設定できるプログラムを設けて、更に、対局中において相手の駒を取って自分の持ち駒にした場合や、自分の駒が相手に取られて相手の持ち駒になった場合は、取られた駒は自動的に取った側の駒の色に変わるようにしたプログラムを設ける。そして、これらのプログラムを、現在流通している既存のコンピューター将棋ゲームが持っている機能に追加設定したことを特徴とする色別対局コンピューター将棋ゲーム。
【発明の詳細な説明】
【技術分野】
【０００１】  本発明は、コンピューター上で対局する日本将棋のゲームに関するものであり、色別の駒で対局ができるようにしたものである。
【背景技術】
【０００２】  従来のコンピューター将棋ゲームは、実際の駒を使用して対局する実際の将棋に倣い、対局者が同じ色の駒で対局するものであった。
【発明の開示】
【発明が解決しようとする課題】
【０００３】  従来のコンピューター将棋ゲームにおいては、対局者は自分の駒の色と相手の駒の色を同じ色に設定して対局しているため、自分の駒と相手の駒の見分けは、駒の文字や形状で判断するしかなく、敵味方の判別がしづらい面があった。本発明は、これらの欠点を補い、自分の駒の配置と相手の駒の配置が一見して判るようにして、且つ、色別の駒での対局を楽しもうとするものである。
【課題を解決するための手段】
【０００４】  この課題を解決するための発明は、コンピューター将棋ゲーム上で、対局者が色別の駒で対局ができるように、複数の色の選択肢の中から、自分の駒の色と相手の駒の色を選んで設定できるプログラムを設けて、更に、対局中において相手の駒を取って自分の持ち駒にした場合や、自分の駒が相手に取られて相手の持ち駒になった場合は、取られた駒は自動的に取った側の駒の色に変わるようにしたプログラムを設ける。そして、これらのプログラムを、現在流通している既存のコンピューター将棋ゲームが持っている機能に追加設定する。
【発明の効果】
【０００５】  本発明により、対局相手と色分けした色別の駒での対局ができるようになり、特に初心者には、自分の駒の配置や相手の駒の配置が一見して判るという長所があり、更に、駒の色を複数の色の選択肢の中から選んで設定できるので、時には、別の駒の色に色の組合せを替えたりして、より楽しくコンピューター将棋ゲームを楽しむことができ、コンピューター将棋ゲームの人口を増やす効果も期待ができる。
【発明を実施するための最良の形態】
【０００６】  コンピューター将棋ゲーム上で、対局者が色別の駒で対局ができるように、複数の色の選択肢の中から、自分の駒の色と相手の駒の色を選んで設定できるようにしたプログラムを設けて、更に、対局中において相手の駒を取って自分の持ち駒にした場合は、自動的に自分の駒の色に変わるようにして、同じように、自分の駒が相手に取られて相手の持ち駒になった場合は、自動的に相手の駒の色に変わるようにしたプログラムを設ける。そして、これらのプログラムを、現在流通している既存のコンピューター将棋ゲームが持っている機能に追加設定して使用する。
【産業上の利用可能性】
【０００７】  本発明に係る、色別対局コンピューター将棋ゲームは、現在流通している既存のコンピューター将棋ゲームが持っている機能に、対局者が色別の駒で対局ができるようにしたプログラムを追加設定したもので、産業上の利用可能性を有する。
(57)【要約】【課題】この発明は障害を持つ人達が安全にそして安心して生活する事が出来る様に考えた物です。【解決手段】常にこの装置を身に付ける事により身の周りの自然の音や人工的の音また危険な音などを知る事が出来ます。【選択図】図１
2008279228.tif 000002
【特許請求の範囲】
【請求項１】
この装置は聴覚の障害を持った人達の耳の役割をする為の装置であり日常の生活を助ける為の発明です。
【請求項２】
聴覚に障害を持つ人達が日常の生活を安心して暮らせる事を願っています。
【発明の詳細な説明】
【技術分野】
【０００１】本発明は不幸にも障害をもって生まれ身のまわりの様々の音を感じる事が出来無い人達の為の発明です。【０００２】聴覚に障害を持った人達は日頃身の周り様々の音を聞き取る事が出来ませんこの装置を使う事によって様々の音を感じる事が出来ます。【０００３】この発明は身の周り様々音を集音マイクステレオアンプを使いスピ−カと同じ原理でコイル又永久磁石を振動させて素肌で振動を感じとる仕組みです。
【背景技術】
【０００４】従来聴覚障害者の為に聴導犬が身の周りの音などを障害者に伝え人の耳になり介護しますこの発明により聴導犬の介護無しでも周り音を知る事ができます。
【発明の開示】
【発明が解決しようとする課題】
【０００５】障害者にとって日常無音の社会の中にいる事は危険や不安な事がたくさんあると思いますがこの装置を使う事により社会の中の様々な音を感じ取り危険な事を目で確認する事が出来身を守ることが出来ます。
【課題を解決するための手段】
【０００６】集音マイクからステレオアンプを通しスピ−カと同じ原理の永久磁石とコイルに電流を流しスピ−カと同じ振動をさせる事により素肌に直接当てた音感装置で音を感じ取ります。
【発明の効果】
【０００７】この発明は聴覚の障害を持つ人達に社会の中の様々の音を素肌で感じ取り身のまわりの危険をしらせる警戒音などを目で確認し身を守る事が出来ます。【０００８】以下本発明の実地の形態を図１に基づいて説明します。【０００９】図１のＢのコイルに電流が流れ図１のＡ永久磁石と反発し振動します。【００１０】図１のＢのコイルに流れる電流の強さによって図１のＡは前後に振動します。【００１１】図１のＡが直接素肌に付ける事で振動を肌に伝えます。
【産業上の利用可能性】
【００１２】この装置を使う事で町の中様々な危険を察知し身を守る事が出来また音楽のリズムを楽しむ事やダンスなど新しい趣味も出来ると思います。
【図面の簡単な説明】
【００１３】
【図１】この装置の全体図です。
【符号の説明】
Ａは永久磁石です。
Ｂはコイル部です。
Ｃはステレオアンプです。
Ｄは集音マイクです。
Ｅは素肌です。
【図１】
2008279228.tif 000003
【図２】
2008279228.tif 000004
【手続補正書】
【提出日】平成19年8月23日(2007.8.23)
【手続補正１】
【補正対象書類名】明細書
【補正対象項目名】００１３
【補正方法】変更
【補正の内容】
【００１３】
【図１】  この装置の全体図です。
【図２】  この装置の側面図です。
【符号の説明】
Ａは永久磁石です。
Ｂはコイル部です。
Ｃはステレオアンプです。
Ｄは集音マイクです。
Ｅは人の素肌です。